(57)【特許請求の範囲】
【請求項１】
通路部の両側位置に吊元支柱と戸当り支柱を立設し、吊元支柱に支持アームの基端部を水平回動自在に取付け、該支持アームの回動端部に通路部を開閉する扉本体を水平回動自在に取付け、吊元支柱から通路部に沿って扉本体の幅相当分だけ離間した位置に端部支柱を立設し、吊元支柱と端部支柱の間に略水平方向に延出するガイドレールを設け、ガイドレールに沿って移動可能な走行部材をガイドレール内に嵌装し、走行部材と扉本体の吊元端部を回動自在に連結し、扉本体の戸当り端を戸当り支柱に当接して通路部を閉成状態とした門扉装置であって、支持アームと扉本体の枢支点を基準点として、扉本体の戸当り端までの距離と、支持アームと吊元支柱の枢支点までの距離と、扉本体の吊元端と走行部材の枢支点までの距離とを略同じ長さとし、扉本体の戸当り端に先細り状の突出部材を設け、戸当り支柱に断面略Ｖ字状の溝部を有する戸当り受部材を設け、突出部材を戸当り受部材の溝部内に嵌入して通路部を閉成したことを特徴とする門扉装置。
【発明の詳細な説明】
【０００１】
【発明の属する技術分野】
この発明は、吊元支柱から略水平方向に延出するガイドレールを設け、扉本体をガイドレールに沿って収納することにより、通路部の側方位置に向けて突出する扉本体収納部の幅を小さくすることができ、敷地の間口が狭小であっても、大きな通路部を形成することのできる門扉装置に関するものである。
【０００２】
【従来の技術】
従来、パネル状の扉本体をヒンジ装置を介して吊元支柱に取付け、扉本体を水平回動自在とした開き門扉が知られているが、このような開き門扉によれば、扉本体を操作者の手前に向けて回動する場合、操作者は扉本体の回動範囲の外側位置から開閉操作しなければならず、特に操作者が車椅子からの操作となると、その開閉操作が甚だ煩わしいものであった。
【０００３】
上記開き門扉の他、通路部を直線的に横切る引戸門扉であれば、扉本体は前後に揺動しないので、扉本体の回動範囲を気にすることなく開閉操作が可能であり、開き門扉と比較して開閉操作性は改善される。
しかしながら、引戸門扉は通路部の側方位置に扉本体の幅に相当する扉本体収納スペースが必要となり、狭小地での施工には不向きなものであった。また、扉本体の移動方向を規制する案内レールを敷設した引戸門扉にあっては、通路部を横切る案内レールが車椅子等の通行の障害となるものであった。
【０００４】
本件出願人は、開閉時における扉本体の回動スペースを小さくして開閉操作性を改善すると共に、扉本体収納スペースを通路部と平行に配置して、通路部の側方位置には扉本体の幅分に相当する収納スペースを必要としない扉装置を先に提案（特願２０００−２８３０４７号参照）している。
【０００５】
【発明が解決しようとする課題】
特願２０００−２８３０４７号に記載された扉装置は、扉本体を進行方向に沿って押したり引いたりすることにより、扉本体が支持アームの枢支点を中心として回動すると同時に、扉本体の戸当り端が通路部を横切る方向に移動するため、これまでの開き門扉並びに引戸門扉と比較して開閉操作性が改善できると共に、引戸門扉のように通路部の側方位置には扉本体の幅分に相当する収納スペースを突出形成する必要のないものである。
【０００６】
しかしながら、扉本体の戸当り端は通路部を横切る直線的な動きに加え、支持アームの枢支点を中心とした回転運動が加わるので、閉成動作の際に扉本体の戸当り端を戸当り柱に向けて直線的に移動させなければ、扉本体の戸当り端と戸当り柱の当接面同士を上手く当接させることができず、扉本体並びに戸当り柱の当接面以外が接触して、当該接触面に傷が発生する虞を有するものであった。そのため、このような門扉装置においては、扉本体の戸当り端を通路部と直角方向に横切る略直線的な動きに近づけることにより、扉本体と戸当り支柱の当接面同士を確実に当接させる必要がある。
【０００７】
【発明が解決しようとする課題】
本発明の目的は、特願２０００−２８３０４７号に示される門扉装置において、扉本体戸当り端の移動軌跡を、通路部を直角方向に横切る直線的な動きとし、扉本体戸当り端と戸当り柱の当接面同士が確実に当接し得て、当接面以外の接触による傷の発生を防止し、美観を高揚した門扉装置を提供することにある。
【０００８】
【課題を解決するための手段】
本発明者等は、このような事情に鑑み鋭意検討を重ねた結果、通路部の両側位置に吊元支柱と戸当り支柱を立設し、吊元支柱に支持アームの基端部を水平回動自在に取付け、該支持アームの回動端部に通路部を開閉する扉本体を水平回動自在に取付け、吊元支柱から通路部に沿って扉本体の幅相当分だけ離間した位置に端部支柱を立設し、吊元支柱と端部支柱の間に略水平方向に延出するガイドレールを設け、ガイドレールに沿って移動可能な走行部材をガイドレール内に嵌装し、走行部材と扉本体の吊元端部を回動自在に連結し、扉本体の戸当り端を戸当り支柱に当接して通路部を閉成状態とした門扉装置であって、支持アームと扉本体の枢支点を基準点として、扉本体の戸当り端までの距離と、支持アームと吊元支柱の枢支点までの距離と、扉本体の吊元端と走行部材の枢支点までの距離とを略同じ長さとし、扉本体の戸当り端に先細り状の突出部材を設け、戸当り支柱に断面略Ｖ字状の溝部を有する戸当り受部材を設け、突出部材を戸当り受部材の溝部内に嵌入して通路部を閉成したことによって、所期の目的を達成したものである。
【０００９】
扉本体の戸当り端に先細り状の突出部材を設け、戸当り支柱に断面略Ｖ字状の溝部を有する戸当り受部材を設け、突出部材を戸当り受部材の溝部内に嵌入して通路部を閉成したことにより、閉成動作の際に突出部材は確実に戸当り受部材の溝部内に導入され、扉本体をより一層安定した安定した閉成状態に維持することができる。
【００１０】
【作用】
この発明によれば、支持アームと扉本体の枢支点を基準点として、扉本体の戸当り端までの距離と、支持アームと吊元支柱の枢支点までの距離と、扉本体の吊元端と走行部材の枢支点までの距離とを略同じ長さとしているので、扉本体の戸当り端に位置する当接面は通路部を直角方向に横切る直線的な動きを呈すると共に、戸当り柱の当接面に向けて直線的に進退し、当接面同士を確実に当接させることができ、閉成動作の際に扉本体の突出部材は確実に戸当り受部材の溝部内に導入され、扉本体をより一層安定した安定した閉成状態に維持することができる。
【００１１】
【発明の実施の形態】
以下、発明の実施の形態を実施例に基づき説明する。
図中１は本発明門扉装置を表わし、門扉装置１は扉本体２によって通路部Ｒを開閉自在としている。扉本体２は、その上下位置がコ字状を呈する支持アーム３によって支持され、支持アーム３の水平部３１の先端が扉本体２の横框２１に取付けられ、扉本体２が支持アーム３に水平回動自在に取付けられている。
【００１２】
支持アーム３の基端部である垂直部３２は、通路部Ｒの側部に立設した吊元支柱４に取付けられており、支持アーム３は吊元支柱４に取付けた位置を中心として水平回動自在に支持されている。より詳しくは、支持アーム３の垂直部３２の上下位置にヒンジ金具３２１を固着し、一方の吊元支柱４の上下部にはヒンジ金具３２１の位置に対応してヒジツボ金具４１を固着し、ヒンジ金具３２１の先端に垂直方向に貫通する軸孔を穿設し、ヒジツボ金具４１の先端には垂直軸を形成し、該垂直軸をヒンジ金具３２１の軸孔に挿通して、ヒンジ金具３２１とヒジツボ金具４１を回動自在に連結し、支持アーム３が吊元支柱４に水平回動自在に取付けられている。
【００１３】
通路部Ｒに沿って、吊元支柱４から扉本体２の幅相当分だけ離間した位置には、端部支柱５を立設しており、吊元支柱４と端部支柱５の上端部間には、通路部Ｒと平行状で且つ略水平方向に配設されたガイドレール６が架設されている。ガイドレール６の水平部６１には、下向きに開口する溝孔６２が形成され、溝孔６２の両側には一対のローラ走行部６３が平行状に形成されている。
ガイドレール６内には走行部材７が嵌装され、走行部材７に設けた一対の走行ローラ７１がガイドレール６のローラ走行部６３上を転動する。走行部材７には溝孔６２を挿通して垂下する軸７２が設けられており、軸７２にはア−ム部材７３が回動自在に設けられ、アーム部材７３の先端部７３１は扉本体２の吊元側に位置する縦框２２の上端に固着されている。よって、扉本体２の吊元端部はガイドレール６に沿って移動し得る構成となっている。
【００１４】
通路部Ｒを挟んで吊元支柱４と対向する位置には戸当り支柱８が立設されており、戸当り支柱８には通路部Ｒに向けて開口する戸当り受部材９が設けられている。戸当り受部材９は断面略Ｖ字状のアルミニウム形材により形成され、断面Ｖ字状の溝部９１が上下方向にわたって形成されている。
扉本体２の戸当り側に位置する縦框２２の戸当り端の側面には、先細り状の突出部材１０が設けられており、扉本体２の閉成状態において突出部材１０が戸当り支柱８の戸当り受部材９の溝部９１内に嵌入する。
溝部９１の溝内面が戸当り支柱８側における扉本体２との当接面であり、突出部材１０の表面が扉本体２側における戸当り支柱８との当接面である。そして、この当接面同士が接触している限り、閉成状態において、扉本体２あるいは戸当り支柱８の外側面には接触による傷が露出しない。
【００１５】
扉本体２の両側に位置する縦框２２間には、レバーハンドル２３が扉本体２の幅方向に渡って架設されている。レバーハンドル２３は、前後に揺動自在として設けられており、このレバーハンドル２３の揺動操作に連動して出没するラッチ装置が吊元側縦框２２に設けられている。そしてラッチ装置は、支持アーム３の基端部である垂直部３２に設けた係合孔と係合する。
さらに、扉本体２に設けられた幅広状の横桟材２４の中央位置にはシリンダー２５が設けられており、シリンダー２５の背面側にはサムターン２６が設けられている。シリンダー２５とサムターン２６の回転操作に連動して出没するストライカーが吊元側縦框２２に設けられており、ストライカーは支持アーム３の基端部である垂直部３２に設けた係合孔と係合する。
【００１６】
ラッチ装置若しくはストライカーを支持アーム３の基端部である垂直部３２に設けた係合孔と係合することにより、支持アーム３と扉本体２が一体構造を呈し、支持アーム３に対する扉本体２の回動を阻止することができる。この時、扉本体２の吊元側縦框２２はガイドレール６に沿って移動不能であり、閉成状態が維持される。
さらに、戸当り支柱８に設けた戸当り受部材９の溝部９１内に、扉本体２の戸当り端部に位置する突出部材１０が嵌入しており、扉本体２はより一層安定して閉成状態を維持することができる。
【００１７】
図１は本発明門扉装置の平面図であり、支持アーム３と扉本体２の枢支点を基準点Ｐとした長さＡ，Ｂ，Ｃは、次のとおりである。
Ａ：支持アーム３と扉本体２の枢支点から、扉本体２の戸当り端までの距離
Ｂ：支持アーム３と扉本体２の枢支点から、支持アーム３と吊元支柱４の枢支点までの距離
Ｃ：支持アーム３と扉本体２の枢支点から、扉本体２の吊元端と走行部材７の枢支点までの距離
【００１８】
これらＡ，Ｂ，Ｃは略同じ長さを有しており、設計寸法上、本実施例においてはＡ＝７３５．０ｍｍ、Ｂ＝７３５．６ｍｍ、Ｃ＝７３５．６ｍｍとなっている。Ａ，Ｂ，Ｃを略同じ長さとすることにより、扉本体２の開閉動作においては、扉本体２の戸当り端部に位置する突出部材１０は、図２に示した軌跡Ｇ上を移動する。この軌跡Ｇは、通路部Ｒを直角方向に横切る直線と近似しており、戸当り端だけの動きを比較すれば、引戸門扉と同様な動きとなる。
なお、Ａ，Ｂ，Ｃの長さは必ずしも一致させる必要は無く、長さの差が５％の範囲内であれば、軌跡Ｇは通路部Ｒを直角方向に横切る直線と近似する。
【００１９】
以上の構成からなる、本発明門扉装置１における扉本体２の動作を説明すると、図３に示した状態が扉本体２により通路部Ｒを閉鎖した閉成状態である。ストライカーが支持アーム３の係合孔と係合している場合には、シリンダー２５に鍵を挿入して係合を解除するか、サムターン２６を回転して係合を解除する。次に扉本体２を開成する方向にレバーハンドル２３を揺動すると、ラッチ装置と支持アーム３の垂直部３２に設けた係合孔との係合が解除され、扉本体２が支持アーム３との枢支点を中心とした水平回動を開始する。扉本体２の吊元端部と連結した走行部材７は、ガイドレール６に沿って端部支柱５に向けた移動を開始し、支持アーム３もガイドレール６側に向けた回動を開始する。この時、扉本体２は支持アーム３とは逆方向に回動する。
【００２０】
走行部材７が端部支柱５の近傍に到達すると、走行部材７の軸７２がガイドレール６の端部に設けたストッパー部材（不図示）と当接して、扉本体２の開成動作が終了し、扉本体２はガイドレール６に沿った状態に収納される。扉本体２の戸当り端部に位置する突出部材１０の移動軌跡はＧ線上であり、引戸門扉の戸当り端と殆ど変わらない軌跡であり、良好な開閉操作性が期待できる。
【００２１】
扉本体２を閉成操作する場合は、上記開成操作の逆の手順となる。
即ち、扉本体２の戸当り縦框２２を戸当り支柱８側に向けて移動すれば、扉本体２が閉成動作とは逆方向の回動を開始し、これに伴い支持アーム３が戸当り支柱８に向けて回動する。ガイドレール内に位置する走行部材７も吊元支柱４に向けて移動する。扉本体２の戸当り端部に位置する突出部材１０は、軌跡Ｇ上に沿って戸当り支柱８に向けて移動し、戸当り受部材９の溝部９１内面と突出部材１０の表面である当接面同士が当接し、溝部９１内の表面にガイドされて突出部材１０が溝部９１内に嵌入すると同時に、吊元側縦框２２のラッチ装置が支持アーム３の垂直部３２に設けた係合孔と係合して扉本体２の回動が終了する。
【００２２】
この時、突出部材１０の表面と溝部９１内面とが当接するので、当接面同士の接触により生じた傷は外側面に露出することはない。また、戸当り受部材９の溝部９１内に、突出部材１０が嵌入しているので、扉本体２はより一層安定して閉成状態を維持することができる。
なお、上記実施例は手動操作のものを示したが、電動モータを用いて走行部材をガイドレールに沿って移動自在として電動化することも可能である。
【００２３】
【発明の効果】
本発明門扉装置によれば、支持アームと扉本体の枢支点を基準点として、扉本体の戸当り端までの距離と、支持アームと吊元支柱の枢支点までの距離と、扉本体の吊元端と走行部材の枢支点までの距離とを略同じ長さとしているので、扉本体の戸当り端は通路部を直角方向に横切る直線的な動きを呈すると共に、戸当り柱に向けて直線的に進退し、扉本体並びに戸当り支柱の外側面に当接による傷が露出することがないので、門扉装置の美観を高揚し得る。また、閉成動作の際に扉本体の突出部材は確実に戸当り受部材の溝部内に導入され、扉本体をより一層安定した安定した閉成状態に維持することができる。
【図面の簡単な説明】
【図１】本発明門扉装置の説明用平面図
【図２】本発明門扉装置における扉本体の移動状態を表わす説明図
【図３】本発明門扉装置の正面図
【図４】本発明門扉装置の側面図
【図５】本発明門扉装置の平面図
【図６】本発明門扉装置のガイドレール部分を表わす要部拡大図
【図７】本発明門扉装置の扉本体収納状態を表わす側面図
【符号の説明】
１      門扉装置
２      扉本体
３      支持アーム
４      吊元支柱
５      端部支柱
６      ガイドレール
７      走行部材
８      戸当り支柱
９      戸当り受部材
１０      突出部材
９１      溝部
Ｐ      基準点
Ｒ      通路部
【図１】
0003592270.tif 000002
【図２】
0003592270.tif 000003
【図３】
0003592270.tif 000004
【図４】
0003592270.tif 000005
【図５】
0003592270.tif 000006
【図６】
0003592270.tif 000007
【図７】
0003592270.tif 000008